(57)【要約】【課題】マウントレールの位置を変更する作業が容易となる機器収納用ラックを提供する。【解決手段】本体１が上下に相対向する上面板４および下面板５と、上面板４および下面板５間に介在される複数の支柱６とを有する。上面板４および下面板５の両側よりそれぞれ相対向方向に垂直に取付板部７を延出し、取付板部７に水平方向に複数の通孔８を形成している。機器取着用の一対のマウントレール２は、上下端部が取付板部７の内側に配置されて上下端部に螺子孔を有し、取付螺子１２を取付板部７の外側より通孔８を通して螺子孔に螺合する。パネルは、本体１の上面板４および下面板５と支柱６との空間に各々取着されて一対のマウントレール２の外側を覆う。【選択図】        図１
2005277110.tif 000002
【特許請求の範囲】
【請求項１】
上下に相対向する上面板および下面板を有し、前記上面板および前記下面板間に介在される複数の支柱を有し、さらに前記上面板および前記下面板の両側よりそれぞれ相対向方向に垂直に延出しかつ水平方向に複数の通孔が形成された取付板部を有する本体と、上下端部が前記取付板部の内側に配置されて前記通孔に整合する螺子孔を有する機器取着用の一対のマウントレールと、前記取付板部の外側より前記通孔を通して前記螺子孔に締付けることにより前記マウントレールを前記取付板部に取付ける取付螺子と、前記本体の前記上面板および前記下面板と前記支柱との空間に各々取着されて前記一対のマウントレールの外側を覆うパネルとを備えた機器収納用ラック。
【請求項２】
前記上面板は、その縁縁部と前記取付板部との間に前記側縁部から垂下した垂下片およびこの垂下片の先端から内側に折曲された受片を有し、前記受片に摺接可能に支持されるガイドを前記マウントレールに設けた請求項１記載の機器収納用ラック。
【請求項３】
前記ガイドは、前記マウントレールのスライド方向の両側よりも外方に延出した形状を有する請求項２記載の機器収納用ラック。
【発明の詳細な説明】
【技術分野】
【０００１】
本発明は、両側のマウントレール間に電子機器を取着した機器収納用ラックに関する。
【背景技術】
【０００２】
従来のこの種の機器収納用ラックは（例えば特許文献１参照）、上下に相対向する上面板および下面板を有し、前記上面板および下面板間に介在される複数の支柱を有する本体を備えている。前記上面板および下面板の両側よりそれぞれ相対向方向に垂直に取付板部を延出し、電子機器を取着するための一対のマウントレールの上下端部を前記取付板部に取付板部の内側から螺子により取着している。
【特許文献１】特開2003−198164号公報。
【発明の開示】
【発明が解決しようとする課題】
【０００３】
機器収納用ラックに電子機器等を実装する場合、本体の外表面を被覆するパネル（扉を含む）を外した状態で、マウントレールに電子機器を取着する工事が行われる。その後、電子機器にケーブルや信号ケーブルが接続され、各種ケーブルの配置を整えた上で、最後にパネルが本体に取付けられる。
【０００４】
ところが、パネルを取付ける段階になって、電子機器の前面とパネルとの空間が狭く、パネルを取付ける（閉じた状態とする）ことができないことに気付き、配線スペースを広くする必要が起こる場合がある。
【０００５】
上述した機器収納用ラックにあっては、マウントレールを各取付板部に重ねて内側から螺子により取着しているので、マウントレールに電子機器を取着した後でマウントレールの位置を変更する際、狭い内部から螺子を外さなければならず、そのためマウントレールの位置を変更する作業が困難であった。
【０００６】
ラック内の機器密集度が上がっている近年、とくに機器を取付けた状態でもマウントレールを移動して配線スペースを広くすることが可能な仕様が求められている。
【０００７】
本発明は、上記課題に鑑みて発明されたものであり、その目的は、マウントレールの位置を変更する作業が容易となる機器収納用ラックを提供することにある。
【課題を解決するための手段】
【０００８】
本発明の機器収納用ラックは、本体が上下に相対向する上面板および下面板と、前記上面板および前記下面板間に介在される複数の支柱とを有する。前記上面板および前記下面板の両側よりそれぞれ相対向方向に垂直に取付板部を延出し、取付板部に水平方向に複数の通孔を形成している。機器取着用の一対のマウントレールは、上下端部が前記取付板部の内側に配置されて上下端部に螺子孔を有し、取付螺子を前記取付板部の外側より前記通孔を通して螺子孔に螺合する。パネルは、前記本体の前記上面板および前記下面板と前記支柱との空間に各々取着されて前記一対のマウントレールの外側を覆う。
【０００９】
上記構成において、前記上面板は、その縁縁部と前記取付板部との間に前記側縁部から垂下した垂下片およびこの垂下片の先端から内側に折曲された受片を有し、前記受片に摺接可能に支持されるガイドを前記マウントレールに設けている。
【００１０】
上記構成において、前記ガイドは、前記マウントレールのスライド方向の両側よりも外方に延出した形状を有する。
【発明の効果】
【００１１】
本発明の機器収納用ラックによれば、パネルを本体から外して本体の外側から取付螺子を取付板部の通孔に挿通してマウントレールの螺子孔に螺合すると、マウントレールを取付板部に取着することができる。この場合、マウントレールを取付板部に対してスライド移動させてマウントレールを任意の通孔に簡単に取着できる。従って、マウントレールに例えば電子機器を取付けた状態でマウントレールの取付位置を容易に変更させることができる。また取付板部の内側にマウントレールを取着するので、マウントレールの上下方向の長さを十分長く取ることができ、電子機器をより効率良く取着することができる。
【００１２】
また、上面板の受片にマウントレールのガイドを載置し、受片に沿ってマウントレールをスライド移動させることができ、電子機器を取着した状態のマウントレールのスライド移動がスムーズに行える。ガイドが受片に支持されることにより、取付板部の通孔からマウントレールの螺子孔に取付螺子を螺合させたときに、電子機器の荷重が全て螺子に加わるのを防止でき、マウントレールを強固に取着できる。さらにマウントレールの移動がスムーズであることから、通孔と螺子孔との位置合せが容易となる。
【００１３】
さらに、マウントレールのスライド方向の両側よりも外方ガイドを延長させると、マウントレールのスライド方向の両側よりも小さいガイドに比べて、マウントレールをスライドさせる際、マウントレールが安定しふらふらし難く、このためスライドさせ易くなり通孔と螺子孔の位置合わせがし易く作業性が向上する。
【発明を実施するための最良の形態】
【００１４】
本発明の一実施の形態を図１から図６により説明する。すなわち、この機器収納用ラックは、本体１と、一対のマウントレール２と、パネル３を有する。
【００１５】
本体１は、上下に相対向する上面板４および下面板５を有するとともに、上面板４および下面板５間に介在される複数例えば４本の支柱６を有する。上面板４および下面板５は、四角形をなし周縁部が内向きに折り返され、その先端２５は相対向方向に垂直に折曲されている。上面板４および下面板５のコーナ部において先端２５を含む折返し端部に支柱６の端部を接合している。上面板４の両側は、図５に示すように上面板４の折返しにより、上面板４の側縁部より垂直に垂下した垂下片９および垂下片９の先端より直交方向内側すなわち、水平に折曲された受片１０を連続して形成して先端２５に繋がっている。下面板５も上面板４と同構成であり、垂下片９に対応して垂直片９′を形成し受片１０を連続している。さらに、これらの上面板４および下面板５の受片１０に連続して、その先端２５より折曲片部２６を介して、それぞれ相対向方向に垂直に取付板部７を延出している。各取付板部７は取付板部７に沿って水平方向に複数の通孔８が形成されている。すなわち、通孔８はマウントレール２が橋架される第１の直交方向（図１の上下方向）とマウントレール２に電子機器１１を取着する第２の直交方向（図１の横方向）とは異なる第３の直交方向（図１の紙面に垂直な方向）に沿って形成されている。
【００１６】
一対のマウントレール２はその間に電子機器１１が取着されるものである。一対のマウントレール２は図６に示すように板状であり、一側片１５が相対向方向に延出し、他側片１６が相対向方向に延出するとともにマウントレール２の幅方向の外方に折曲された断面Ｌ字形をなしている。一側片１５に電子機器１１を取付ける多数の取付孔１７を上下方向に列設し、他側片１６も先端側の上下方向に多数の取付孔１８を形成している。電子機器１１はその前面の両側部および側面が一側片１５および他側片１６に当接され、取付孔１７、１８にねじ等により取付けられる。一対のマウントレール２の上下端部に螺子孔１３を有し、その上下端部が取付板部２の内側に配置され、取付螺子１２を取付板部７の外側より通孔８を通して螺子孔１３に螺合され、これによりマウントレール２が取付板部７に取付けられる。
【００１７】
またマウントレール２に、取付板部７の螺子孔１３の高さ位置を通孔８に合わせた状態で、受片７に摺接可能に支持されるガイド１９を例えば溶接などにより設けている。このガイド１９は、図６に示すように、マウントレール２のスライド方向の両側よりも外方まで延出する形状に延出片２０が連続して形成されている。
【００１８】
パネル３は一対のマウントレール２の外側で本体１の上面板４および下面板５と支柱６との空間に各々取着される。実施の形態において、パネル３のうち正面には扉３ａが配置される。扉３ａは上面板４および下面板５の受片１０に相当する箇所に軸（図示せず）により支持される。他のパネル３は支柱６に設けたねじ孔２２に螺子２３により取着される。
【００１９】
組立は、扉３ａを含むパネル３の一部または全部を外した状態でマウントレール２を取付板部７の任意の位置の通孔８に取付螺子１２で固定し、マウントレール２に電子機器１１等を取付け配線を整える。つぎにパネル３および扉３ａを本体１に取付ける。パネル３等を取付ける際に配線スペースが足りないことがわかった場合にはパネル３を外し、取付螺子１２を外して配線スペースを確保できる位置にマウントレール２を取付板部７に沿ってスライド移動させ、取付螺子１２で適当な通孔８に再度マウントレール２を固定した後、パネル３を取付ける。この場合、取付螺子１２を本体１の外側から締め緩めすることができるので、作業性がよい。
【００２０】
またマウントレール２のガイド１９が受片１０に支持されるため、電子機器１１の荷重に耐えることができるので、マウントレール２に電子機器１１を設置したままマウントレール２を移動することができる。
【００２１】
ガイド１９の延出片２０をマウントレール２の両側よりも外側に延出しているため、マウントレール２の移動の際にマウントレール２を安定して移動することができ、通孔８に螺子孔１３を整合させやすい。
【００２２】
なお、本発明において、ガイド１９はマウントレール２の下端部にも設け、受片１０に案内させることができる。ガイド１９と受片１０の間あるいはマウントレール２と取付板部７を有する上面板４および下面板５の間にローラ等の摩擦軽減装置を付けることによりスムースなマウントレール２の移動が可能となる。さらに別部品で摩擦軽減装置付き移動用金具を用意すると、マウントレール２等に組み込むだけのためコスト削減が可能となる。
【図面の簡単な説明】
【００２３】
【図１】本発明の一実施の形態のパネルを外した状態の側面図である。
【図２】その正面図である。
【図３】扉が付いた状態の正面図である。
【図４】パネルが付いた状態の側面図である。
【図５】図１のＡ−Ａ線部分断面図である。
【図６】（ａ）は図２のＢ−Ｂ線部分断面図、（ｂ）はその部分平面図である。
【符号の説明】
【００２４】
１    本体
２    マウントレール
３    パネル
４    上面板
５    下面板
６    支柱
７    取付板部
８    通孔
９    垂下片
１０    受片
１１    電子機器
１２    取付螺子
１３    螺子孔
１９    ガイド
２０    延出片
【図１】
2005277110.tif 000003
【図２】
2005277110.tif 000004
【図３】
2005277110.tif 000005
【図４】
2005277110.tif 000006
【図５】
2005277110.tif 000007
【図６】
2005277110.tif 000008